(57)【要約】【課題】  コンテナをスプレッダにて吊り下げた状態で、スプレッダとコンテナとの間の間隔を小さくして、コンテナ上面からスプレッダ上面までの高さを低くし、高さの制限がある作業場において有効となるスプレッダ取付構造を提供することを目的とする。【解決手段】  フォークリフトのフォーク２に取り付けられるスプレッダ１の取付構造である。フォーク２の上面２ａに第１取付部材３が固着され、スプレッダ１に第２取付部材４が設けられる。スプレッダ１がフォーク２上に載置状とされ、第１取付部材３の第１取付孔５と第２取付部材４の第２取付孔６とにピン部材７が挿通されて、フォーク２にスプレッダ１が連結保持されるものである。【選択図】    図４
2005206326.tif 000002
【特許請求の範囲】
【請求項１】
フォークリフトのフォーク（２）に取り付けられるスプレッダ（１）の取付構造に於て、該フォーク（２）の取付孔と、スプレッダ（１）の取付孔に、ピン部材（７）が挿通されて、該フォーク（２）に該スプレッダ（１）が連結保持されることを特徴とするスプレッダ取付構造。
【請求項２】
フォークリフトのフォーク（２）に取り付けられるスプレッダ（１）の取付構造に於て、該フォーク（２）の上面（２ａ）に第１取付部材（３）が固着され、該スプレッダ（１）に第２取付部材（４）が設けられ、該スプレッダ（１）が該フォーク（２）上に載置状とされ、該第１取付部材（３）の第１取付孔（５）と該第２取付部材（４）の第２取付孔（６）とにピン部材（７）が挿通されて、該フォーク（２）に該スプレッダ（１）が連結保持されることを特徴とするスプレッダ取付構造。
【請求項３】
上記第１取付部材（３）は、上記フォーク（２）の先端部（８）側と後端部（９）側とに夫々固着され、上記第２取付部材（４）が、上記スプレッダ（１）の前縁部（10）と後縁部（11）とに夫々設けられた請求項２記載のスプレッダ取付構造。
【請求項４】
上記第１取付部材（３）の第１取付孔（５）又は上記第２取付部材（４）の第２取付孔（６）は、上下方向寸法が上記ピン部材（７）の直径よりも大きい長孔とされた請求項２又は３記載のスプレッダ取付構造。
【請求項５】
上記フォーク（２）の上面（２ａ）は、先端から水平状とされ上記スプレッダ（１）を載置させる載置面部（12）を有し、かつ、該載置面部（12）の後端から後方上傾状の勾配面部（14）を介して該載置面部（12）よりも高位置の基端面部（13）を有する請求項２、３又は４記載のスプレッダ取付構造。
【発明の詳細な説明】
【技術分野】
【０００１】
本発明は、フォークリフトのフォークに取り付けられるスプレッダの取付構造に関するものである。
【背景技術】
【０００２】
コンテナ（大型箱状荷物）の吊り持ち作業（荷役作業）では、フォークリフトのフォークに取り付けられるスプレッダが用いられている。
従来のスプレッダのフォークへの取付構造は、図11に示すように、スプレッダ45に、フォーク46を挿し入れるための前後方向のポケット孔部47が左右一対形成されている（例えば、特許文献１参照）。
ポケット孔部47は、例えば溝型鋼や角パイプを用いて形成され、その内部にフォーク46を差し入れ、スプレッダ45をフォーク46に保持させている。
【特許文献１】特開平３−２１１１９７号公報
【発明の開示】
【発明が解決しようとする課題】
【０００３】
ポケット孔部47を構成する部材は、スプレッダ本体（水平状のフレーム）の下部又は上部に重ねて配設されるため、スプレッダ45全体の高さ寸法は大きくなり、図11のように、コンテナ48の上面からスプレッダ45の上面までの高さＨが高く（大きく）なる。
従って、高さの制限がある作業場において、例えば、貨物列車にコンテナ48を載置させるために、鉄道の架線の下にてフォークリフトにより行う作業では、従来の構造では適さないという欠点がある。また、スプレッダ１の抜け止めが大型の部材になるという欠点がある。
【課題を解決するための手段】
【０００４】
本発明に係るスプレッダ取付構造は、フォークリフトのフォークに取り付けられるスプレッダの取付構造に於て、該フォークの取付孔と、スプレッダの取付孔に、ピン部材が挿通されて、該フォークに該スプレッダが連結保持されるものである。
また、フォークリフトのフォークに取り付けられるスプレッダの取付構造に於て、該フォークの上面に第１取付部材が固着され、該スプレッダに第２取付部材が設けられ、該スプレッダが該フォーク上に載置状とされ、該第１取付部材の第１取付孔と該第２取付部材の第２取付孔とにピン部材が挿通されて、該フォークに該スプレッダが連結保持されるものである。
また、上記第１取付部材は、上記フォークの先端部側と後端部側とに夫々固着され、上記第２取付部材が、上記スプレッダの前縁部と後縁部とに夫々設けられたものである。
また、上記第１取付部材の第１取付孔又は上記第２取付部材の第２取付孔は、上下方向寸法が上記ピン部材の直径よりも大きい長孔とされるのも好ましい。
また、上記フォークの上面は、先端から水平状とされ上記スプレッダを載置させる載置面部を有し、かつ、該載置面部の後端から後方上傾状の勾配面部を介して該載置面部よりも高位置の基端面部を有するものである。
【発明の効果】
【０００５】
本発明のスプレッダ取付構造によれば、コンテナをスプレッダにて吊り下げた状態で、スプレッダとコンテナとの間隔を小さくして、コンテナ上面からスプレッダ上面までの高さを低くし、高さの制限がある作業場において有効なフォークリフトとできる。
例えば、貨物列車にコンテナを載置させるために、鉄道の架線の下にてフォークリフトにより行う作業において、好適である。つまり、スプレッダを従来よりも薄型にできる。  スプレッダの取り付け、取り外しが容易であり、また、スプレッダのフォークからの抜け止めもピン部材により完全に行われており、作業が安全である。
フォークの上面に直接的にスプレッダ本体の水平状のフレームを当接させ、スプレッダ本体を支持することができ、構造が簡単で、かつ、構造上安定したものが得られる。
【発明を実施するための最良の形態】
【０００６】
図１は、本発明に係るスプレッダ取付構造を備えたフォークリフトの側面図であり、一般的に、コンテナ（大型箱状荷物）Ｗの吊り持ち作業は、アタッチメントとしてスプレッダ１を具備させたフォークリフトにより行われる。
スプレッダ１は、フォークリフトの倒立Ｌ字型のフォーク（逆フォーク）２に取り付けられる。
【０００７】
図２と図３はスプレッダ取付構造の平面図と正面図であり、スプレッダ１は、左右幅方向両端側に夫々、ツイストロックと呼ばれるコンテナＷを吊り持ち保持するロック手段15を、備えている。ロック手段15は、さらに前後２カ所に設けられ、コンテナＷを４隅にて吊り下げる。
また、スプレッダ１は、二点鎖線にて示すように、全体が左右幅方向に伸縮自在であり、幅寸法の異なるコンテナＷに対応できる。
【０００８】
そして、本発明のスプレッダ取付構造について説明すると、図２と図３と図４とにおいて、フォーク２に第１取付部材（第１ブラケット）３が固着され、また、スプレッダ１に第２取付部材（第２ブラケット）４が設けられている。なお、第１取付部材３はフォーク２の側面としてもよいが、上面２ａに固着させるのが好ましい。
第１取付部材３は、フォーク２の先端部８側と、後端部９側と、に夫々設けられるのが好ましく、第１取付部材３は、第１先端取付部材３ａと、第１後端取付部材３ｂとから成る。また、第２取付部材４は、第１取付部材３に対応するよう、スプレッダ１の前縁部10と、後縁部11と、に夫々設けられるのが好ましく、第２取付部材４は、第２前取付部材４ａと、第２後取付部材４ｂとから成る。
【０００９】
さらに、フォークリフトには、フォーク２が左右に一対平行状に設けられているため、左右の各フォーク２に夫々第１先端取付部材３ａと第１後端取付部材３ｂとを設け、これらに対応するよう第２前取付部材４ａ、第２後取付部材４ｂがスプレッダ１に設けられている。つまり、全体で、第１先端取付部材３ａ、第１後端取付部材３ｂが夫々２個備えられ、また、第２前取付部材４ａ、第２後取付部材４ｂが夫々２個備えられている。
【００１０】
図５の要部説明図と、図６の要部組立図とに示すように、第１取付部材３は、フォーク２の上面２ａから上方へ突出状となる１枚の鉛直板状の部材であり、溶接にてフォーク２に固着させればよい。
なお、第１取付部材３のうち、第１先端取付部材３ａは、上方へ直線状に突出した形状であり、その上部に貫通状の第１取付孔５が形成されている。第１後端取付部材３ｂは、フォーク２の上面２ａから一旦上方へ突出状となる下部と、その下部から第１先端取付部材３ａ方向へ（略）直角に湾曲して水平状となる上部と、を有し、上部の先端側に貫通状の第２取付孔６が形成されている。
【００１１】
従って、フォーク２の後端部９の基端面部13に立設状である略倒立Ｌ字型の第１後端取付部材３ｂによれば、フォーク２の前方大部分である載置面部12にのみ載置されるスプレッダ１の後縁部11の第２後取付部材４ｂと、第１後端取付部材３ｂの上部が、フォーク２上面２ａの勾配面部14上を跨ぐよう、腕を延ばした状態となって接続されることとなる。
【００１２】
第２取付部材４は、スプレッダ１の前縁部10である鉛直前面及び後縁部11である鉛直後面から、前後方向へ突出状となる鉛直板状の部材であり、スプレッダ１の本体に溶接などにて固着される。
また、図６に示すように、１つの第２取付部材４は、１枚の第１取付部材３を両側から挟む２枚の板部材16，16を有する。そして、この対面状の２枚の板部材16，16に貫通状の孔が夫々形成されて直線状の第２取付孔６が形成される。
【００１３】
そして、本発明に係るスプレッダ取付構造は、図５と図６とに示すように、スプレッダ１がフォーク２上に載置状とされ、第１取付部材３の第１取付孔５と第２取付部材４の第２取付孔６とにピン部材７が挿通されて、フォーク２にスプレッダ１が連結保持される構造である。つまり、スプレッダ１のフォーク２（の第１取付部材３）への取り付けは、スプレッダ１の前後の第２取付部材４，４とピン部材７とにより行われる。
また、第１取付孔５と第２取付孔６とに挿通状となったピン部材７は、止め具17にて抜け止め保持される。
【００１４】
なお、第１取付部材３の第１取付孔５、又は、第２取付部材４の第２取付孔６は、上下方向寸法がピン部材７の直径よりも大きい長孔とされるのが好ましい。
図５と図６においては、第２取付部材４の第２取付孔６が長孔とされている。
また、図４に示すように、第２取付部材４において、第２取付孔６の上部に、スプレッダ１を他のクレーン等にて吊り下げるための吊り孔18を設けても良い。
【００１５】
図７の背面図と図８の側面図は、第２取付部材４の第２取付孔６（又は第１取付部材３の第１取付孔５）が上下方向の長孔とされたことによる作用と効果を説明する図である。  図７は、左右で高さが異なるよう傾いた状態で地面にあるコンテナＷを、左右一対のフォーク２，２により持ち上げる際の正面図であり、コンテナＷの上面に平行となってコンテナＷを吊り下げるスプレッダ１は、長孔である第２取付孔６により、水平状のフォーク２，２に対して左右高さを違えて傾斜することができる。
つまり、左右の内の一方（左側）において、ピン部材７は第２取付孔６の上部に存在し、他方（右側）において、ピン部材７が第２取付孔６の下部に存在できる。
【００１６】
また、図８は、前後で高さが異なるよう傾いた状態で地面にあるコンテナＷを、左右一対のフォーク２，２により持ち上げる際の側面図であり、コンテナＷの上面に平行となってコンテナＷを吊り下げるスプレッダ１は、長孔である第２取付孔６により、水平状のフォーク２，２に対して前後高さを違えて傾斜することができる。
つまり、前後の内の一方（前方）において、ピン部材７は第２取付孔６の上部に存在し、他方（後方）において、ピン部材７が第２取付孔６の下部に存在する。
【００１７】
従って、ピン部材７が通る第１取付孔５と第２取付孔６は長孔であるため、前後左右に傾いたコンテナＷを取ることができる。
なお、本発明において、前後方向とは、フォークリフトの前後方向（前進後退方向）であり、左右方向とは、前後方向に直交するフォークリフトの左右方向である。
【００１８】
次に、本発明の取付構造においてさらに好ましいフォークリフトのフォーク２の形状について説明すると、図９の側面図に示すように、フォーク２の上面２ａは、先端から水平状とされスプレッダ１を載置させる載置面部12を有する。さらに、載置面部12の後端から後方上傾状の勾配面部14を介して、載置面部12よりも高位置の基端面部13を有する。
つまり、フォーク２の上面２ａは、先端から前後方向半分以上の（全体の75％〜90％である）大部分の載置面部12と、後端部の小部分でフォーク２のコーナー部である基端面部13と、載置面部12から上方へ隆起状の基端面部13との遷移区間の勾配面部14と、が形成されている。
【００１９】
なお、図10は比較のための側面図であり、フォーク２の上面２ａは、先端から基端まで水平で一つの平滑面のみにて形成されている。図10と比較すると図９の実施例は、倒立Ｌ字型のフォーク２の内の水平部材において、上面２ａが先端から根元コーナー部の手前側まで水平であり、根元コーナー部で一段高くなってフォーク２の肉厚が厚くなる段付き形状であると言える。また、最高位置である基端面部13を基準面とすると、載置面部12は基準面より所定寸法だけ下方へ控えられ、載置面部12の上方位置において空間部19が形成されているとも言える。
【００２０】
なお、この段付き部の段差寸法ｇは、20mm〜60mmとすればよい。これによれば、載置面部12に載置されるスプレッダ１は、基準面である基端面部13より20mm〜60mm下方へ下げる（落とし込む）ことができる。従って、フォーク２の下面から、フォーク２に載置されるスプレッダ１の上面までの高さ寸法は、20mm〜60mm小さくすることができ、薄型でコンパクトな取付構造となる。
【００２１】
さらに、図９において、基端面部13に対応するフォーク２の肉厚寸法Ｔが、載置面部12に対応するフォーク２の肉厚寸法ｔより大きく設定されている。
また、フォーク２の下面の形状は、図９に示すように、先端から後方へ向かって緩やかな下傾状となる傾斜面部と、その後の水平状となる水平面部とを有する。又は、図示省略するが、基端面部13に対応するフォーク２の肉厚を、図９の場合の肉厚寸法Ｔと同じとして、（下面の）水平面部の途中後部側を上方へ薄く切欠状（上方へ段付き状）としてもよい。
【００２２】
以上のように、本発明によれば、フォークリフトのフォーク２に取り付けられるスプレッダ１の取付構造に於て、フォーク２の取付孔と、スプレッダ１の取付孔に、ピン部材７が挿通されて、フォーク２にスプレッダ１が連結保持されるため、従来よりも薄型の構造が得られる。また、スプレッダ１の取り付け、取り外しが容易であり、また、スプレッダ１のフォーク２からの抜け止めもピン部材７により完全に行われており、安全である。
【００２３】
また、フォークリフトのフォーク２に取り付けられるスプレッダ１の取付構造に於て、フォーク２の上面２ａに第１取付部材３が固着され、スプレッダ１に第２取付部材４が設けられ、スプレッダ１がフォーク２上に載置状とされ、第１取付部材３の第１取付孔５と第２取付部材４の第２取付孔６とにピン部材７が挿通されて、フォーク２にスプレッダ１が連結保持されるため、コンテナＷをスプレッダ１にて吊り下げた状態で、スプレッダ１とコンテナＷとの間隔を小さくして、図３に示すように、コンテナＷ上面からスプレッダ１の上面までの高さｈを低く（小さく）し、高さの制限がある作業場において有効なフォークリフトとできる。
【００２４】
例えば、貨物列車にコンテナＷを載置させるために、鉄道の架線の下にてフォークリフトにより行う作業において、好適である。つまり、スプレッダ１を従来よりも薄型にできる。
スプレッダ１の取り付け、取り外しが容易であり、また、スプレッダ１のフォーク２からの抜け止めもピン部材７により完全に行われており、安全である。
フォーク２の上面２ａに直接的にスプレッダ１の本体の水平状のフレームを当接させ、スプレッダ１の本体を支持することができ、構造が簡単で、かつ、構造上安定したものが得られる。
【００２５】
また、第１取付部材３は、フォーク２の先端部８側と後端部９側とに夫々固着され、第２取付部材４が、スプレッダ１の前縁部10と後縁部11とに夫々設けられているため、スプレッダ１をフォーク２にしっかりと保持させることができ、コンテナＷ又はスプレッダ１が水平状態から多少傾斜しても、安全である。
【００２６】
さらに、第１取付部材３の第１取付孔５又は第２取付部材４の第２取付孔６は、上下方向寸法がピン部材７の直径よりも大きい長孔とされたものであるため、ピン部材７と孔との間に余裕（ガタ）が得られるため、吊り持つコンテナＷ（コンテナＷの上面）が多少傾いていても、スプレッダ１は取付対応できる。そして、前後方向にスプレッダ１がずれることがなく、しっかりと保持できる。
【００２７】
また、フォーク２の上面２ａは、先端から水平状とされスプレッダ１を載置させる載置面部12を有し、かつ、載置面部12の後端から後方上傾状の勾配面部14を介して載置面部12よりも高位置の基端面部13を有するため、フォーク２の下面から、フォーク２に載置されるスプレッダ１の上面までの高さ寸法を小さく（低く）することができ、薄型でコンパクトな取付構造が得られる。
勾配面部14を有するため、フォーク２の断面形状変化が滑らかであり、（局部応力が生じず）フォーク２における応力状態が良好である。
【図面の簡単な説明】
【００２８】
【図１】本発明に係るスプレッダ取付構造を備えたフォークリフトの実施の一形態を示す側面図である。
【図２】スプレッダ取付構造の平面図である。
【図３】スプレッダ取付構造の正面図である。
【図４】本発明に係るスプレッダ取付構造の実施の一形態を示す側面図である。
【図５】スプレッダ取付構造の要部を示す説明図である。
【図６】スプレッダ取付構造の要部を示す組立図である。
【図７】取付孔を長孔とすることによる作用と効果を説明する背面図である。
【図８】取付孔を長孔とすることによる作用と効果を説明する側面図である。
【図９】フォークの要部の側面図である。
【図１０】比較のためのフォークの要部の側面図である。
【図１１】従来のスプレッダ取付構造の要部背面図である。
【符号の説明】
【００２９】
１  スプレッダ
２  フォーク
３  第１取付部材
４  第２取付部材
５  第１取付孔
６  第２
７  ピン部材
８  先端部
９  後端部
10  前縁部
11  後縁部
12  載置面部
13  基端面部
14  勾配面部
【図１】
2005206326.tif 000003
【図２】
2005206326.tif 000004
【図３】
2005206326.tif 000005
【図４】
2005206326.tif 000006
【図５】
2005206326.tif 000007
【図６】
2005206326.tif 000008
【図７】
2005206326.tif 000009
【図８】
2005206326.tif 000010
【図９】
2005206326.tif 000011
【図１０】
2005206326.tif 000012
【図１１】
2005206326.tif 000013